(57)【要約】　　　（修正有）【課題】自社商品等の広告等のために用いられる展示ボードを、人目を十分に引くことが可能であるとともに、コストも低く抑えるようにする。【解決手段】ボード基台２と、該ボード基台２に支持されたボードフィルム３と、により構成されるとともに、前記ボードフィルム３として、任意の文字、模様等を発光可能に描いたＥＬフィルムを用いたことを特徴としており、これにより、単に静的な広告を展示ボードに貼りつけた場合と異なり、見る者に強烈な印象を与えて自社商品等を強力にアピールすることを可能とし、更に、周囲が暗い場合でも、文字、広告等を鮮明に浮き上がらせることができる展示ボードにすることを可能とし、更にまた、ボードフィルムを曲面形状に支持することで視認可能な角度を広げることが可能となる。【選択図】　　　　　　　図１
0003098118.tif 000002
【実用新案登録請求の範囲】
【請求項１】
各種広告等を展示するために用いられる展示ボードであって、
ボード基台（２、１２、２２）と、
該ボード基台（２、１２、２２）に支持されたボードフィルム（３、１３、２３）と、により構成されるとともに、前記ボードフィルム（３、１３、２３）として、任意の文字、模様等を発光可能に描いたカラーフレキシブル有機ＥＬディスプレイを用いたことを特徴とする展示ボード。
【請求項２】
前記ボードフィルム（２３）を曲面形状にして前記ボード基台（２２）に支持したことを特徴とする請求項１に記載の展示ボード。
【考案の詳細な説明】
【０００１】
【考案が属する技術分野】
本考案は各種広告等を展示するために用いられる展示ボードに係り、より詳しくは、ボード基台とこのボード基台に支持されたボードフィルムにより構成されるとともに、ボードフィルムとして、任意の文字、模様等を描いたカラーフレキシブル有機ＥＬディスプレイを用いたことを特徴とする展示ボードに関する。
【０００２】
【従来の技術】
従来から、商品広告等の手法の一つとして展示ボードが用いられている。即ち、この展示ボードは一般的に、発泡スチロール等により形成される板状のボードであり、これを用いて広告等を行なう場合には、自社商品のカタログ、写真等をこの展示ボードに貼りつけ、その後、この展示ボードを、例えば展示会場における自社ブースの目立つ箇所等に設置して、これにより自社商品、あるいは自社の広告宣伝を行なうことを可能にしている。
【０００３】
また、この展示ボードはその他、各種の催し物等においても、各種の広告を目立つ箇所に展示するために、たとえば、各種の催し物会場に出展している出店が価格を表示したり、出展商品の写真を展示したりするためにも用いられており、その用途は多岐にわたっている。
【０００４】
【考案が解決しようとする課題】
ところで、特に出展者が多数になる展示会場等では、自社製品を有効にアピールする必要があるが、前述した従来の展示ボードでは、単に展示ボードに自社商品のカタログ、写真、あるいは価格等を貼り付けるのみであるために、文字、模様等に鮮明な色彩を用いた場合であっても、見る者に強力にアピールすることは困難である。
【０００５】
また、店舗等における店頭広告においても、単に自社商品の広告等を展示ボードに貼りつけただけでは、特に繁華街等においては有効な広告手段とはなり得ない。
【０００６】
更に、単に広告等を展示ボードに貼りつけただけでは、周囲が暗い場合には立たないという大きな問題点もある。
【０００７】
この点、見る者に自社商品等を強力にアピールするために、あるいは店舗等において商品等を強力にアピールするため、ネオンサインによる電飾広告等を用いる方法も考えられるが、電飾看板の場合には、装備が大掛かりになるとともにコストも上がってしまい、更に、ネオンサインでは蛍光灯等の寿命の関係で定期的に保守、交換を必要とするため手間や費用等がかかるという問題点がある。
【０００８】
そこで、本考案は、自社商品等の広告等のために用いられる展示ボードにおいて、人目を十分に引くことが可能であるとともに、コストも低く抑えることが可能な展示ボードを提供することを課題としている。
【０００９】
【課題を解決するための手段】
ところで、従来から、エレクトロルミネッセンスライト（以下「ＥＬライト」という。）という発光源が提供されており、このＥＬライトとは、電圧をかけると蛍光色に面発光するという性能を有するものであるが、従来から提供されているこのＥＬライトは厚みが多いとともにフレキシブル性が無いために扱い難いという問題点があった。
【００１０】
しかしながら、最近になり、このＥＬライトを改良した、肉厚が薄くフレキシブル性を備えたカラーフレキシブル有機ＥＬディスプレイ（以下「ＥＬフィルム」という。）が提供されはじめてきている。即ち、このＥＬフィルムは、有機ＥＬにダメージを与える水蒸気や酸素の侵入を遮断する高バリアフィルムで高分子有機ＥＬ層を挟み込んだものであり、肉厚が少ないとともにフレキシブルであるために曲面ディスプレイも可能であるという利点がある。
【００１１】
そこで、本考案者は、この最近になって提供され始めてきたＥＬフィルムの存在に着目し、上記課題を達成可能な展示ボードを考案した。
【００１２】
即ち、本考案の展示ボードは、各種広告等を展示するために用いられる展示ボードであって、ボード基台と、該ボード基台に支持されたボードフィルムと、により構成されるとともに、前記ボードフィルムとして、任意の文字、模様等を発光可能に描いたＥＬフィルムを用いたことを特徴としている。
【００１３】
本考案の展示ボードでは、任意の文字、模様等を発光可能に描いたＥＬフィルムをボード基台に支持しているために、自社の広告等を発光可能に描いたＥＬフィルムを用いることにより、単に静的な広告を展示ボードに貼りつけた場合と異なり、見る者に強烈な印象を与えて自社商品等を強力にアピールすることが可能である。
【００１４】
また、ＥＬフィルムは前述したように電圧を加えることにより面発光するものであるために、これを貼りつけた本考案の展示ボードでは、周囲が暗い場合でも、文字、広告等を鮮明に浮き上がらせることができるという利点がある。
【００１５】
【考案の実施の形態】
本考案の展示ボードでは、ボード基台を備えており、このボード基台に、任意の文字、模様等を発光可能に描いたＥＬフィルムを支持している。
【００１６】
ここで、前記ボード基台にＥＬフィルムを支持するに際して、ＥＬフィルムが曲面形状になるようにして支持するとよく、これにより、広角度に亘って商品等の広告を行なうことが可能である。
【００１７】
即ち、ＥＬフィルムを平面形状にしてボード基台に支持した場合には、展示ボードに対向する箇所に位置する者しかＥＬフィルムに描いた商品広告等を見ることができないが、ＥＬフィルムを曲面形状にしてボード基台に支持した場合においては、展示ボードを見ることができる範囲が広がり、即ち、展示ボードに対向する箇所に位置する者以外の者も展示ボードを見ることができる。そのため、例えば、本考案の展示ボードを展示会場のコーナー部分に設置した場合においては、コーナーを曲がる人が、曲がりながら展示ボードを継続して見ることができるという利点がある。
【００１８】
【実施例】
本考案の展示ボードの第１実施例について図面を参照して説明すると、図１は、本実施例の展示ボードを示す斜視図であり、図において１が本実施例の展示ボードである。
【００１９】
そして、本実施例の展示ボード１は、全体として四角形状の板状としたボード基台２を備えており、このボード基台２としては、例えば発泡スチロール製のボードを用いるとよい。
【００２０】
そして、本実施例においてこのボード基台２の一方の面には、その全面に亘って、ボードフィルム３が貼着されている。
【００２１】
ここで、前記ボードフィルム３について説明すると、本実施例における前記ボードフィルム３としては、最近になり提供され始めているＥＬフィルムを採用している。即ち、本実施例においては、前記ボード基台２にＥＬフィルム３を貼着しており、このＥＬフィルム３には、高分子有機ＥＬ層により任意の文字、模様等を発光可能に描いており、これにより、このＥＬフィルム３に電圧を加えることで、ＥＬフィルムに描いた文字、模様等を発光させて展示ボード全体を広告媒体等として機能させることを可能としている。
【００２２】
即ち、前述したように、従来から、電圧を加えることにより面状に発光するＥＬライトが提供されているとともに、最近になり、このＥＬライトをフレキシブルにしたＥＬフィルムが開発され、このＥＬフィルムは、高バリアフィルムで高分子有機ＥＬ層を挟み込んだ構造をしており、この高分子有機ＥＬ層によって任意の文字、模様等を描くことで、この部分のみを発光させることを可能にするとともに、フィルムを基材として用いているために全体を超薄型にすることが可能である。
【００２３】
そこで、本実施例の展示ボード１では、高分子有機ＥＬ層で任意の文字、模様等を描いたＥＬフィルムをボード基台２に貼着して、これにより、展示ボード全体を、より目立つ広告媒体とすることを可能としている。
【００２４】
したがって、本実施例の展示ボード１では、ＥＬフィルムに自社の商品宣伝等の文字、模様等を発光可能に描くことにより、ＥＬフィルムに単に商品宣伝等を印刷した紙類等を貼りつけた展示ボードと異なり、文字、模様部分の発光により、目立たせることが可能であるとともに、周囲が暗い場合でも十分に機能可能な展示ボードにすることが可能である。
【００２５】
なお、前述の実施例では、ボード基台２の一方の面にＥＬフィルム３を貼着した場合について説明したが、ボード基台の両面にＥＬフィルム３を貼着してもよい。
【００２６】
また、図示を省略するが、前記ＥＬフィルム３には電源供給用の端子等を備え、使用に際しては、リード線等を介してＥＬフィルム３に電源を供給可能としている。
【００２７】
次に、本考案の展示ボードの第２実施例について図２を参照して説明すると、図２は、本実施例の展示ボードを裏面から示す斜視図であり、図において１１が本実施例の展示ボードである。
【００２８】
そして、本実施例の展示ボード１１は、枠材によりボード基台１２を構成するとともに、このボード基台１２にボードフィルム１３を支持している。
【００２９】
即ち、図において１２がボード基台であり、本実施例におけるボード基台１２は、樹脂、木等の素材により構成された４本の長尺状の枠材を略四角形状に組み付けて構成されており、このボード基台１２に、ボードフィルム１３の周縁部を貼着あるいは係止して、更に、前記ボード基台１２の下端部には脚部１４を連設し、これにより展示ボード１１の単体を所望する箇所に立設可能としている。
【００３０】
なお、本実施例においても、前記ボードフィルム１３としてＥＬフィルムを採用するとともに、このＥＬフィルムには、任意の文字、模様等を発光可能に描いており、これにより、このＥＬフィルム３に電圧を加えることで、ＥＬフィルムに描いた文字、模様等を発光させて展示ボード全体を広告媒体等として機能させることを可能としている。また、本実施例においても、前記ＥＬフィルム１３には電源供給用の端子等を備えており、使用に際しては、この端子及び端子に接続したリード線等を介してＥＬフィルム１３に電源を供給可能としている。
【００３１】
次に、本考案の展示ボードの第３実施例について図３を参照して説明すると、図３は、本実施例の展示ボードを裏面から示す斜視図であり、図において２１が本実施例の展示ボードである。
【００３２】
そして、本実施例の展示ボード２１は、枠材によりボード基台２２を構成するとともに、このボード基台２２に、ボードフィルム２３を曲面形状にして支持している。
【００３３】
即ち、図において２２がボード基台であり、本実施例におけるボード基台２２は、樹脂等の変形可能な素材により構成された２本の長尺状かつ湾曲させた枠材２２０１を一定の間隔を置いて略平行に配置するとともに、この枠材２２０１を連結材２２０２で支持して構成されており、このボード基台１２に、ボードフィルム１３の上下の周縁部を係止し、更に、前記ボード基台２２の下端部には脚部２４を連設している。
【００３４】
そして、ボードフィルム２３としては、前記実施例と同様にＥＬフィルムを採用しており、このＥＬフィルムに、任意の文字、模様等を発光可能に描いており、これにより、このＥＬフィルム３に電圧を加えることで、ＥＬフィルムに描いた文字、模様等を発光させて展示ボード全体を広告媒体等として機能させることを可能とし、また、前記ＥＬフィルム１３には電源供給用の端子等を備え、使用に際しては、この端子及び端子に接続したリード線等を介してＥＬフィルム１３に電源を供給可能としている。
【００３５】
このように、本実施例の展示ボード２１では、ボードフィルム２３を曲面形状にして支持しているために、このボードフィルム２３を見ることが可能な範囲が広角度に亘るという利点がある。そのため、例えばこの展示ボード２１を展示会場等における自社ブースのコーナー部に配置した場合には、コーナー部を曲がっていく人は、曲がりながら継続して展示ボードを見ることができ、その者に対して強い印象を与えることが可能となる。
【００３６】
【考案の効果】
本考案の展示ボードは以上説明した形態で実施され、以下に記載するような効果を奏する。
【００３７】
本考案の展示ボードは、各種広告等を展示するために用いられる展示ボードであって、ボード基台と、該ボード基台に支持されたボードフィルムと、により構成されるとともに、前記ボードフィルムとして、任意の文字、模様等を発光可能に描いたＥＬフィルムを用いたことを特徴としている。
【００３８】
このように、本考案の展示ボードでは、任意の文字、模様等を発光可能に描いたＥＬフィルムをボード基台に支持しているために、ＥＬフィルムに自社の広告等を発光可能に描くことにより、単に静的な広告を展示ボードに貼りつけた場合と異なり、見る者に強烈な印象を与えて自社商品等を強力にアピールすることが可能である。
【００３９】
また、ＥＬフィルムは前述したように電圧を加えることにより面発光するものであるために、これを貼りつけた本考案の展示ボードでは、周囲が暗い場合でも、文字、広告等を鮮明に浮き上がらせることができるという利点がある。
【図面の簡単な説明】
【図１】本考案の展示ボードの第１実施例を示す斜視図である。
【図２】本考案の展示ボードの第２実施例を示す斜視図である。
【図３】本考案の展示ボードの第３実施例を示す斜視図である。
【符号の説明】
１、１１、２１　　展示ボード
２、１２、２２　　ボード基台
２２０１　　枠材
２２０２　　連結部材
３、１３、２３　　ボードフィルム
１４、２４　　脚部
【図１】
0003098118.tif 000003
【図２】
0003098118.tif 000004
【図３】
0003098118.tif 000005